【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
伝送制御プロトコルＴＣＰセッション又はユーザデータグラムプロトコルＵＤＰセッションに対するパケットベースのスケジューリングのためのシステムであって、
第１のスケジューリングモジュールと、少なくとも１つのトランスポートネットワークに接続された少なくとも２つのアクセスインターフェースとを備えた第１の結合モジュールであって、前記第１の結合モジュールはユーザデバイスに接続可能であり、第２の結合モジュールで終端する前記アクセスインターフェースの各々を介してＴＣＰトンネルが構成され、前記第１のスケジューリングモジュールは前記第２の結合モジュールに向けて前記ＴＣＰトンネルを介して、好ましくはインターネット上で、データパケットをスケジューリング及び分配するように構成された、第１の結合モジュール、及び／又は
第２のスケジューリングモジュールと、前記少なくとも１つのトランスポートネットワークの各々に接続された少なくとも１つのアクセスインターフェースとを備えた前記第２の結合モジュールであって、前記第２の結合モジュールはサーバに接続可能であり、前記第２のスケジューリングモジュールは前記第１の結合モジュールに向けて前記ＴＣＰトンネルを介してデータパケットをスケジューリング及び分配するように構成された、前記第２の結合モジュール
を備えたシステム。
【請求項２】
前記第１の結合モジュールに有線又は無線接続を介して接続された第１のルータをさらに備え、好ましくは前記第１のルータが、データを前記ユーザデバイスから／前記ユーザデバイスに受信及び送信するように構成された、請求項１に記載のシステム。
【請求項３】
前記第２の結合モジュールに有線又は無線接続を介して接続された第２のルータをさらに備え、好ましくは前記第２のルータが、データを前記サーバから／前記サーバに受信及び送信するように構成されたネットワーク・アドレス・トランスレーションモジュールを備える、請求項１又は２に記載のシステム。
【請求項４】
前記第１及び／又は第２のスケジューリングモジュールが、前記ＴＣＰトンネルからのネイティブ情報に基づいて前記第１のルータと前記第２のルータの間の前記ＴＣＰトンネルの容量を取得するように構成された、請求項３に記載のシステム
【請求項５】
前記ＴＣＰトンネルの前記ネイティブ情報が、輻輳ウインドウＣｃｗｎｄのサイズ、ＴＣＰスロースタート閾値Ｓｔｈｒｅｓｈ、平滑化往復時間ＴＲＴＴ、送出されたパケット数Ｐｏｕｔ、肯定応答されたパケット数Ｐｓａｃｋｅｄ、再送信されたパケット数Ｐｒｅｔｒａｎｓ、及び喪失したとみなされるパケット数Ｐｌｏｓｔのうちの少なくとも１つを備える、請求項４に記載のシステム。
【請求項６】
前記第１及び／又は第２のスケジューリングモジュールが、前記第１のルータから前記第２のルータに現在伝搬しているパケット数を、
Ｐｆｌｙ＝Ｐｏｕｔ−Ｐｓａｃｋｅｄ＋Ｐｒｅｔｒａｎｓ−Ｐｌｏｓｔ
として取得するように構成された、請求項５に記載のシステム。
【請求項７】
前記第１及び／又は第２のスケジューリングモジュールが、残容量を、
Ｃｌｅｆｔ＝Ｃｃｗｎｄ−Ｐｆｌｙ
として取得するように構成された、請求項６に記載のシステム。
【請求項８】
前記第１及び／又は第２のスケジューリングモジュールが、規定間隔内で前記残容量の変化ΔＣｌｅｆｔを取得するように構成された、請求項７に記載のシステム。
【請求項９】
前記第１及び／又は第２のスケジューリングモジュールが、スケジューリングアルゴリズムを用いて前記第１のルータと前記第２のルータの間の前記ＴＣＰトンネルに対するスケジューリング重み付けを取得するように構成された、請求項１から８のいずれか一項に記載のシステム。
【請求項１０】
前記スケジューリング重み付けが、前記ＴＣＰトンネルの各々を介して送信されるパケットの量の割合及び／又は前記ＴＣＰトンネルの各々を介して連続して送信されるパケットの量で構成された、請求項９に記載のシステム。
【請求項１１】
前記第１及び／又は第２のスケジューリングモジュールが、前記スケジューリング重み付けを連続的に又はタイムスロットにおいて適合するように構成され、好ましくは前記第１及び／又は第２のスケジューリングモジュールが、前タイムスロット中に収集されたパラメータに基づいて後続のタイムスロットの前記スケジューリング重み付けを適合するように構成された、請求項１０に記載のシステム。
【請求項１２】
好ましくは請求項１から１１のいずれかのシステムを用いて伝送制御プロトコルセッションについてのパケットベースのスケジューリングのための方法であって、
（ａ）第１のスケジューリングモジュールと、少なくとも１つのトランスポートネットワークに接続された少なくとも２つのアクセスインターフェースとを備えた第１の結合モジュールを接続するステップであって、前記第１の結合モジュールはユーザデバイスに接続可能である、ステップ、
（ｂ）第２の結合モジュールで終端する前記アクセスインターフェースの各々を介してＴＣＰトンネルを構成するステップ、
（ｃ）前記第１の結合モジュールから前記第２の結合モジュールに向けて前記ＴＣＰトンネル及び前記少なくとも１つのトランスポートネットワークを介してデータパケットをスケジューリング及び分配するステップ、及び／又は
（ｄ）第２のスケジューリングモジュール及び前記少なくとも１つのアクセスインターフェースを備える前記第２の結合モジュールを前記少なくとも１つのトランスポートネットワークの各々に接続するステップであって、前記第２の結合モジュールがサーバに接続可能である、ステップ、並びに
（ｅ）前記第２の結合モジュールから前記第１の結合モジュールに向かう前記ＴＣＰトンネルを介してデータパケットをスケジューリング及び分配するステップ
を備える方法。
【請求項１３】
第１のルータを前記第１の結合モジュールに有線又は無線接続を介して接続するステップを備え、好ましくは前記第１のルータが、データを前記ユーザデバイスから／前記ユーザデバイスに受信及び送信するように構成された、請求項１２に記載の方法。
【請求項１４】
第２のルータを前記第２の結合モジュールに有線又は無線接続を介して接続するステップを備え、好ましくは前記第２のルータが、データを前記サーバから／前記サーバに受信及び送信するように構成されたネットワーク・アドレス・トランスレーションモジュールを備える、請求項１２又は１３に記載の方法。
【請求項１５】
前記ＴＣＰトンネルからのネイティブ情報に基づいて前記第１のルータと前記第２のルータの間の前記少なくとも２つのＴＣＰトンネルの各々の容量を取得するステップを備える、請求項１２から１４のいずれかに記載の方法。
【請求項１６】
データパケットをスケジューリング及び分配するステップが、前記第１のルータと前記第２のルータの間の前記ＴＣＰトンネルに対するスケジューリング重み付けを取得するようにスケジューリングアルゴリズムに基づく、請求項１２から１５のいずれかに記載の方法。
【請求項１７】
前記スケジューリング重み付けが、前記トンネルの各々を介して送信されるパケットの割合及び／又は前記トンネルの各々を介して連続して送信されるパケットの量で構成される、請求項１６に記載の方法。
【請求項１８】
スケジューリング重み付けが連続的に又はタイムスロットにおいて適合され、好ましくは、後続のタイムスロットのスケジューリング重み付けが、前タイムスロット中に収集されたパラメータに基づく、請求項１７に記載の方法。